(57)【要約】      （修正有）【課題】スルー画表示中に自動焦点調節を行うことができなくても、撮影モードにより焦点位置を調節することにより、使い易いスルー画表示機能付きデジタルカメラを提供する。【解決手段】撮像素子にて取得した被写体像を液晶モニタに連続的に表示するスルー画表示モードを有し、このスルー画表示モードの動作開始に応答してレンズ駆動ステップにおいて、撮影光学系を所定の焦点位置に移動させている。撮影モードがマクロ撮影に適したモードの場合は撮影光学系を近距離側の所定位置に移動させ（＃１２１）、撮影モードが風景撮影に適したモードの場合は撮影光学系を遠距離側の所定位置に移動させ（＃１２３）、また撮影モードがポートレート撮影に適したモードの場合は上記撮影光学系を中間距離位置に移動させる（＃１２５）。さらに、所定位置として撮影レンズの過焦点距離に基づいて設定された位置に移動させている（＃１２０）。【選択図】  図６
2007279465.tif 000002
【特許請求の範囲】
【請求項１】
撮影光路内にて被写体光束をファインダ光学系に導く第１の位置と、撮影光路外に退避した第２の位置とに移動可能なミラー手段と、
このミラー手段を上記第１の位置から上記第２の位置に移動させ、撮像素子にて取得した被写体像を表示装置に連続的に表示するスルー画表示手段と、
このスルー画表示手段の動作開始に応答して、撮影光学系を所定の焦点位置に移動させるレンズ駆動制御手段と、
を具備したことを特徴とするデジタル一眼レフカメラ。
【請求項２】
上記レンズ駆動制御手段は、撮影モードに応じて上記所定の焦点位置を決定することを特徴とする請求項１に記載のデジタル一眼レフカメラ。
【請求項３】
上記レンズ駆動制御手段は、上記撮影モードがマクロ撮影に適したモードの場合は上記撮影光学系を近距離側の所定位置に移動させることを特徴とする請求項２に記載のデジタ一眼レフルカメラ。
【請求項４】
上記レンズ駆動制御手段は、上記撮影モードが風景撮影に適したモードの場合は上記撮影光学系を遠距離側の所定位置に移動させることを特徴とする請求項２に記載のデジタル一眼レフカメラ。
【請求項５】
上記レンズ駆動制御手段は、上記撮影モードがポートレート撮影に適したモードの場合は上記撮影光学系を中間距離位置に移動させることを特徴とする請求項２に記載のデジタル一眼レフカメラ。
【請求項６】
上記所定の焦点位置は、上記撮影レンズの過焦点距離に基づいて設定された位置であることを特徴とする請求項１に記載のデジタル一眼レフカメラ。
【請求項７】
撮影モードを設定するための撮影モード設定部材と、
被写体像を受光し、光電変換信号を出力する撮像素子と、
上記光電変換信号に基づいて被写体像をスルー画表示する表示装置と、
撮影レンズを駆動するレンズ駆動装置と、
上記スルー画表示にあたって、上記撮影モードもしくは撮影レンズの固有情報に応じて上記撮影レンズを予め決められた焦点位置に駆動させる制御手段と、
を具備したことを特徴とするデジタルカメラ。
【発明の詳細な説明】
【技術分野】
【０００１】
本発明は、スルー画表示機能を有するデジタルカメラに関し、詳しくは、撮像素子で繰り返し取得した画像を表示装置に動画像として表示する所謂スルー画表示機能（ライブビュー表示機能、電子ファインダ機能とも言う）を有するデジタル一眼レフカメラに関する。
【背景技術】
【０００２】
従来のコンパクトデジタルカメラにおいては、被写体像の観察は、光学式ファインダにより行っていたが、最近は、光学式ファインダをなくし、または光学式ファインダと共に被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能は、例えば、パララックスが生じないためマクロ撮影時等に有効であり、このためデジタル一眼レフカメラに搭載した例も種々提案されている。例えば、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を観察用に液晶モニタに表示するようにしたデジタル一眼レフカメラが提案されている（特許文献１）
【特許文献１】特開２００２−３６９０４２号公報
【発明の開示】
【発明が解決しようとする課題】
【０００４】
しかしながら、この種のデジタル一眼レフカメラの場合、スルー画表示中は可動ミラーを撮影光路外に退避させなければならないため、従来の一眼レフカメラで一般的に採用されているＴＴＬ位相差ＡＦを行うことができない。このため、撮影者は液晶モニタ画面を見ながら手動で焦点調節を行うことになり、迅速な焦点調節を行うことが困難であった。
【０００５】
本発明は、このような事情を鑑みてなされたものであり、使い易いスルー画表示機能付きデジタルカメラを提供することを目的とする。
【課題を解決するための手段】
【０００６】
上記目的を達成するため第１の発明に係わるデジタル一眼レフカメラは、撮影光路内にて被写体光束をファインダ光学系に導く第１の位置と、撮影光路外に退避した第２の位置とに移動可能なミラー手段と、このミラー手段を上記第１の位置から上記第２の位置に移動させ、撮像素子にて取得した被写体像を表示装置に連続的に表示するスルー画表示手段と、このスルー画表示手段の動作開始に応答して、撮影光学系を所定の焦点位置に移動させるレンズ駆動制御手段を具備する。
【０００７】
また、第２の発明に係わるデジタル一眼レフカメラは、上記第１の発明において、上記レンズ駆動制御手段は、撮影モードに応じて上記所定の焦点位置を決定する。
さらに、第３の発明に係わるデジタル一眼レフカメラは、上記第２の発明において、上記レンズ駆動制御手段は、上記撮影モードがマクロ撮影に適したモードの場合は上記撮影光学系を近距離側の所定位置に移動させる。
また、第４の発明に係わるデジタル一眼レフカメラは、上記第２の発明において、上記レンズ駆動制御手段は、上記撮影モードが風景撮影に適したモードの場合は上記撮影光学系を遠距離側の所定位置に移動させる。
さらに、第５の発明に係わるデジタル一眼レフカメラは、上記第２の発明において、上記レンズ駆動制御手段は、上記撮影モードがポートレート撮影に適したモードの場合は上記撮影光学系を中間距離位置に移動させる。
さらに、第６の発明に係わるデジタル一眼レフカメラは、上記第１の発明において、上記所定の焦点位置は、上記撮影レンズの過焦点距離に基づいて設定された位置である。
【０００８】
上記目的を達成するため第７の発明に係わるデジタカメラは、撮影モードを設定するための撮影モード設定部材と、被写体像を受光し光電変換信号を出力する撮像素子と、上記光電変換信号に基づいて被写体像をスルー画表示する表示装置と、撮影レンズを駆動するレンズ駆動装置と、上記スルー画表示にあたって、上記撮影モードもしくは撮影レンズ固有の情報に応じて上記撮影レンズを予め決められた焦点位置に駆動させる制御手段を具備する。
【発明の効果】
【０００９】
本発明によれば、スルー画表示手段の動作開始に応答して、撮影光学系を所定の焦点位置に移動させるレンズ駆動制御手段を具備するようにしたので、使い易いスルー画表示機能付きデジタル一眼レフカメラを提供することができる。また、スルー画表示にあたって、撮影モードに応じて撮影レンズを予め決められた焦点位置に駆動させるようにしたので、使い易いスルー画表示機能付きデジタルカメラを提供することができる。
【発明を実施するための最良の形態】
【００１０】
以下、図面に従って本発明を適用したデジタル一眼レフカメラを用いて好ましい一実施形態について説明する。図１は、本発明の実施形態に係るデジタル一眼レフカメラについて背面からみた外観斜視図である。
カメラ本体２００の上面にはレリーズ釦２１、モードダイヤル２２、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ（Charge Coupled Devices）２２１（図３参照）の出力に基づいて被写体像の画像データの取り込みを行う撮影動作を実行する。
【００１１】
モードダイヤル２２は回転可能に構成された操作部材であり、モードダイヤル２２上に設けられた撮影モードを表す絵表示または記号（図２参照）を指標５１に合致させることにより、フルオート撮影モード（ＡＵＴＯ）５２、プログラム撮影モード（Ｐ）５３、絞り優先撮影モード（Ａ）５４、シャッタ撮影優先モード（Ｓ）５５、マニュアル撮影モード（Ｍ）５６、ポートレート撮影モード５７、風景撮影モード５８、マクロ撮影モード５９、スポーツ撮影モード６０、夜景撮影モード６１の各撮影モードを選択することができる。ここで、フルオート撮影モード（ＡＵＴＯ）は、レンズの絞り値、シャッタ速度をカメラで自動的に設定し、暗いときにはフラッシュ（不図示）が自動的にポップアップし、フラッシュ撮影を可能とするモードである。一般的な記念撮影にはこのモードで十分である。プログラム撮影モード（Ｐ）は適正露光となる絞り値とシャッタ速度をカメラが自動的に決めて設定するモードである。絞り優先撮影モード（Ａ）は、絞り値を撮影者が設定すると、適正露光となるシャッタ速度をカメラ自動的に決めて設定するモードである。シャッタ優先撮影モード（Ｓ）は、シャッタ速度を撮影者が設定すると、適正露光となる絞り値をカメラが自動的に決めて設定するモードである。マニュアル撮影モード（Ｍ）は、絞り値とシャッタ速度を撮影者が設定するモードである。
【００１２】
ポートレート撮影モード５７は、人物撮影をするのに最適なモードであり、風景撮影モード５８は、風景を撮影するのに最適なモードであり、マクロ撮影モード５９は被写体に近接した撮影を行うのに最適なモードであり、スポーツ撮影モード６０はスポーツなどの動きのある被写体を撮影するのに最適なモードであり、夜景撮影モード６１は、夜景と人物を一緒に撮影するのに最適なモードである。コントロールダイヤル２４は、シャッタ速度、絞り値、ＩＳＯ感度、補正値等の撮影情報の設定を行うための操作部材であり、回転操作により種々の設定値の変更を行うことができる。
【００１３】
カメラ本体２００の背面には、液晶モニタ２６、再生釦２７、メニュー釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、OK釦３１、表示モード切換釦３４が配置されている。液晶モニタ２６は、スルー画を表示し、撮影済みの被写体像を再生表示し、また、撮影条件やメニューを表示するための表示装置である。これらの表示を行うことができるものであれば、液晶に限らない。再生釦２７は、撮影後に記録した被写体画像を液晶モニタ２６に表示させることを指示するための操作釦である。後述するＳＤＲＡＭ２３７、記録媒体２４５にＪＰＥＧ等の圧縮モードで記憶されている被写体の画像データを伸張して表示する。
【００１４】
十字釦３０は液晶モニタ２６上で、Ｘ方向とＹ方向の２次元方向にカーソルの移動を指示するための操作部材である。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。
【００１５】
接眼部３３は、ファインダ光学系の接眼部であって、撮影者はこの接眼部３３を覗いて被写体像の確認を行うことができる。表示モード切換釦３４は、後述するスルー画表示と情報表示とを切り換えるための操作釦であって、スルー画表示は、被写体像記録用のＣＣＤ２２１の出力に基づいて液晶モニタ２６に被写体像を観察用に表示するモードであり、情報表示はカメラの撮影情報を表示設定するために液晶モニタ２６に表示されるモードである。
【００１６】
カメラ本体２００の側面には、記録媒体収納蓋４０が開閉自在に取り付けられている。この記録媒体収納蓋４０を開放すると、この内部に記録媒体２４５用の装填スロットが設けられており、記録媒体２４５はカメラ本体２００に対して、脱着自在に装填可能となっている。また、レンズ鏡筒１００にはピント合わせ用の手動操作環１１が設けられている。この手動操作環１１は、パワーフォーカス（ＰＦと称す場合もある）用の操作環であって、撮影者によって手動で回転操作されると、回転方向、回転速度、回動操作量等に応じて撮影レンズがモータ駆動され、焦点調節レンズの繰り出しや繰り込みが行われる。
【００１７】
次に、図３を用いて、デジタル一眼レフカメラの電気系を主とする全体構成を説明する。本実施形態に係わるデジタル一眼レフカメラは、交換レンズ１００とカメラ本体２００とから構成される。本実施形態では、交換レンズ１００とカメラ本体２００は別体で構成され、通信接点３００にて電気的に接続されているが、交換レンズ１００とカメラ本体２００を一体に構成することも可能である。
【００１８】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。また、手動操作環１１に連動し、その回動に応じてパルス等を発生するＰＦ操作部材１１２が配置されている。レンズ駆動機構１０７、絞り駆動機構１０９、ＰＦ操作部材１１２はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。さらに、後述するシーケンスコントローラ(以下、「ボディＣＰＵ」と称す)２２９から許可されている場合には、ＰＦ操作部材１１２からの出力に応じてレンズ駆動機構１０７を駆動させ、レンズ１０１や１０２の駆動を行う。
【００１９】
カメラ本体２００内には、被写体像を観察光学系に反射するためにレンズ光軸に対して４５度傾いた位置と、被写体像を撮像素子(後述のＣＣＤ２２１)に導くために跳ね上がった位置との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。このペンタプリズム２０７の出射側(図１で右側)には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００２０】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには、ハーフミラー部を覆う位置に回動し、可動ミラー２０１が被写体像観察位置にあるときには、図示する如く可動ミラー２０１に対して垂直となる位置にある。この可動ミラー２０１はミラー駆動機構２１９によって駆動されている。また、サブミラー２０３の下方には測距用センサを含む測距回路２１７が配置されており、この回路は、レンズ１０１、１０２によって結像される被写体像の焦点ズレ量をいわゆるＴＴＬ位相差法により測定するための回路である。なお、可動ミラー２０１は本実施形態では、カメラ本体２００に対して上昇位置と下降位置の２つの位置をとっていたが、これに限らず、本体２００の右方または左方に対して回動することにより、ファインダ光学系に被写体光束を導き、また撮影光路から退避するようにしても良い。
【００２１】
可動ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には撮像素子としてのＣＣＤ２２１が配置されており、レンズ１０１、１０２によって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。また、液晶モニタ２６におけるスルー画表示用の画像データの生成も行う。
【００２２】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００２３】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００２４】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００２５】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、液晶モニタ２６の画面でカーソルの動きを指示するするスイッチ、撮影モードを指示するスイッチ、選択された各モード等を決定するＯＫスイッチ、表示モード切換を指示するスイッチ等の各種スイッチ２５５は、スイッチ検出回路２５３を介してデータバス２６１に接続されている。
【００２６】
次に、図４を用いて、カメラ本体２００の表示および動作モードの概略について説明する。
情報表示Ｍ１００はカメラ本体２００の電源スイッチがオンとなったときの状態であり、カメラの撮影にあたって基本的な情報の表示を行うものであって、液晶モニタ２６に、図９（Ａ）に図示するような撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００２７】
情報表示Ｍ１００の状態において、レリーズ釦２１を半押しすることによって、１Ｒスイッチがオンとなり、撮影動作Ａ  Ｍ１３０に入り、レリーズ釦２１から手を離し、半押しが解除されることによって情報表示Ｍ１００に戻る。この撮影動作Ａ  Ｍ１３０では、測光・測距等の撮影のための準備動作を行う。この後、レリーズ釦２１を全押しすると、撮影動作を行う。この撮影動作では、ＣＣＤ２２１から被写体像の光電変換信号を取り込み、画像処理回路２２７によって画像処理の上、画像データを記録媒体２４５に記録動作を行うが、詳細は後述する。
【００２８】
また、情報表示モードＭ１００において、表示モード切換釦３４を操作すると、スルー画表示モードＭ３００となる。このスルー画表示モードでは、前述したように被写体像記録用のＣＣＤ２２１の出力を用いて観察用に被写体像を液晶モニタ２６に図９（Ｂ）の如く表示する。なお、スルー画表示中であることを示すために、ここでは符号３０７の如く、「ＬＶ」の文字を重畳させている。このスルー画表示モードＭ３００において、レリーズ釦２１を半押しした状態では特に動作は何も行われないが、さらにレリーズ釦２１を全押しすると、撮影動作Ｂ  Ｍ３３０が実行される。撮影動作Ｂでは、ＣＣＤ２２１によって取得した被写体画像データを記録媒体２４５に記録するが、詳細は後述する。撮影動作Ｂが終了すると、スルー画表示モードに戻る。
【００２９】
次に、前述のスルー画表示モードＭ３００について、図５に示すフローチャートを用いて、その詳細を説明する。
表示モード切換釦３４の操作により、スルー画表示モードＭ３００に入ると、ステップ＃５７において、レンズ駆動を行う。これは撮影レンズを所定の焦点位置に駆動するものであるが、その詳細なステップは図６を用いて後述する。このレンズ駆動が終わると、手動操作環１１の操作に応じて撮影レンズのピント合わせを行わせるパワーフォーカス（ＰＦ）動作の許可信号をレンズＣＰＵ１１１に送信する（＃５９）。レンズＣＰＵ１１１は、撮影者による手動操作環１１の回動操作があった場合には、その回動方向、回動速度、回動量に応じて撮影レンズ１０１、１０２の駆動を行う。続いて、測光センサ２１１の出力に基づいて被写体輝度の測定を行い、ここで得た被写体輝度に基づいてシャッタ速度及び／又は絞り値を演算により求める露光量演算を行う（＃６１）。なお、ここで、求めるシャッタ速度及び／または絞り値は、前述の撮影モードにしたがって行う。この後、ＣＣＤ２２１の出力に基づいて被写体像を得るための準備を行う。まず、可動ミラー２０１をアップさせ（＃６３）、レンズ１０１，１０２からの被写体光束をファインダ光学系からＣＣＤ２２１側に導くようにする。続いて、シャッタ２１３を開放状態とし（＃６５）、これによりＣＣＤ２２１上に被写体像が結像する。
【００３０】
この後、ＣＣＤ２２１の駆動にあたっての電子シャッタスピードと感度の条件設定を行うために、ステップ＃６１で求めた測光・露光量の演算結果を用いてスルー画条件設定１のサブルーチンを実行する（Ｓ９）。このサブルーチンの実行によって液晶モニタ２６に適切な明るさ（明度）の像を表示することができるが、このサブルーチンの詳細は図８を用いて後述する。スルー画条件設定１が終了すると、液晶モニタ２６にて図９（Ｂ）に示すようなスルー画表示を開始する。なお、スルー画表示動作は、前述したように、この開始指示を受けて画像処理回路２２７にて行われる。
【００３１】
次に、ステップ＃７１において、レリーズ釦２１が全押しされたか、すなわち２Ｒがオンか否かの判定を行う。オンであった場合には、撮影動作Ｂ  Ｍ３３０を行うための準備動作として、スルー画表示の停止のための一連の動作をステップ＃７３から＃７７において行う。まず、ＣＣＤ２２１への電源供給を停止し、液晶モニタ２６でのスルー画表示を停止する（＃７３）。続いて、シャッタ２１３を閉じ（＃７５）、可動ミラー２０１をダウンさせ、被写体光束をＣＣＤ２２１側からファインダ光学系側に切り換える（＃７７）。可動ミラー２０１のダウンが完了したら、撮影動作Ｂ  Ｍ３３０のルーチンに移行する。この撮影動作Ｂの詳細なステップは、図７を用いて後述する。撮影動作Ｂが終了すると、ステップ＃５７に戻り、前述のステップを繰り返す。
【００３２】
ステップ＃７１に戻り、２Ｒがオフであった場合には、ステップ＃８１に進み、表示モード切換釦３４がオンか否かの判定を行う。判定の結果、表示モード切換釦３４が操作されておりオンであった場合には、情報表示モードＭ１００に戻るための準備動作を行う。この準備動作の内のステップ＃８３から＃８７は、前述のステップ＃７３からステップ＃７７と同様の処理なので、詳細は省略する。ステップ＃８７にて可動ミラー２０１のダウンを行うと、次に、ステップ＃５９にて許可していたパワーフォーカス（ＰＦ）を禁止してから情報表示モードＭ１００に移行する。本実施形態では、パワーフォーカスは、情報表示モードＭ１００においては禁止されており、一方、スルー画表示モードにおいては許可されているためである。なお、情報表示モードＭ１００においてもパワーフォーカスを許容する場合には、このステップは不要である。
【００３３】
ステップ＃８１に戻り、判定の結果、表示モード切換釦３４が操作されておらずオフであった場合には、ステップ＃９１に進み、電源スイッチ〈不図示〉がオフか否かの判定を行う。電源スイッチがオフであった場合には、カメラ動作を停止するための処理を行うが、この処理の内のステップ＃９３から＃９９は、前述のステップ＃８３からステップ＃８９と同様の処理なので、詳細は省略する。ステップ＃９９でのパワーフォーカス禁止を行うと、カメラの動作を停止する。
【００３４】
ステップ＃９１に戻り、判定の結果、電源スイッチがオンであった場合には、ステップ＃１０１に進み、スルー画条件の設定２のサブルーチンを実行する。スルー画条件の設定１はスルー画表示を開始する前であったので、測光素子２１１の出力に基づいて液晶モニタ２６の明度を調整していたが、スルー画条件の設定２は既に液晶モニタ２６で表示を行っていることから狙いとする明度と前回の液晶モニタ２６の明度との差分を基に電子シャッタ速度を決めている。詳細は、図８を用いて後述する。
【００３５】
次に、ステップ＃５７の「レンズ駆動」のサブルーチンについて図６を用いて説明する。このサブルーチンに入ると、ステップ＃１１１において、撮影モードのチェックを行う。これは前述したモードダイヤル２２によって設定された撮影モードを読み出す。ステップ＃１１３から＃１１７において、設定されていたモードの判定を行う。まず、設定撮影モードがマクロモードか否かを判定し（＃１１３）、マクロモードであった場合には、ステップ＃１２１に進み、レンズＣＰＵ１１１を通じてレンズ駆動機構１０７によって撮影レンズの焦点位置を３０ｃｍに駆動する。マクロモードに設定されている場合は、近接撮影を主として行うので、最頻出距離である３０ｃｍにピント合わせを行うようにしている。なお、この焦点位置は、３０ｃｍ以外の近距離でもよく、マクロモードに相応しい焦点位置であれば良いことは勿論である。
【００３６】
ステップ＃１１３に戻り、設定撮影モードがマクロモードでなかった場合には、ステップ＃１１５に進み、設定撮影モードが風景モードか否かの判定を行う。風景モードが設定されていた場合には、ステップ＃１２３に進み、レンズＣＰＵ１１１を通じてレンズ駆動機構１０７によって撮影レンズの焦点位置を無限遠に駆動する。風景モードに設定されている場合は、遠方の山や海といった風景を撮影することが多いことから、無限遠に駆動するようにしている。なお、この焦点位置は無限遠位置以外の遠距離でもよく、風景モードに相応しい焦点位置であれば良いことは勿論である。
【００３７】
ステップ＃１１５に戻り、設定撮影モードが風景モードでなかった場合には、ステップ＃１１７に進み、設定撮影モードがポートレートモードか否かの判定を行う。ポートレートモードが設定されていた場合には、ステップ＃１２５に進み、レンズＣＰＵ１１１を通じてレンズ駆動機構１０７によって撮影レンズの焦点位置を３ｍに駆動する。ポートレートモードに設定されている場合は、人物を撮影することが多いことから、３ｍに駆動するようにしている。なお、この焦点位置は３ｍ以外の中距離でもよく、ポートレートモードに相応しい焦点位置であれば良いことは勿論である。ステップ＃１１７に戻り、設定撮影モードがポートレートモードでなかった場合には、ステップ＃１１９に進み、レンズＣＰＵ１１１と通信を行い、交換レンズ１００の固有レンズ情報の一つである過焦点距離情報を取得する。過焦点距離情報は、無限円が被写界深度内に入る一番近い距離であり、この過焦点距離に焦点調節すれば、過焦点距離の１／２から無限遠までを被写体深度内に入れることができる。続いて、ステップ＃１２０において、取得した過焦点距離情報に基づき、撮影レンズの焦点調節を行う。ステップ＃１２０、＃１２１、＃１２３、＃１２５のいずれかのステップを終了すると、元のルーチンに戻る。なお、撮影レンズの焦点位置への駆動は、撮影レンズを一旦、無限遠位置に移動させ、そこからの繰り出し量をカウントして焦点位置を判定するようにしている。絶対距離エンコーダを有している場合には、このような方法をとらずとも、直接、焦点位置を検出することができる。
【００３８】
このように、スルー画表示モードＭ３００に入ると、まずステップ＃５７において、レンズ駆動のサブルーチンに入り、撮影モードに応じた焦点位置、または、その撮影レンズの過焦点距離に基づく焦点位置に撮影レンズが駆動される。このため撮影モードでしばしば常用されている焦点位置に撮影レンズが駆動されているので、手動でピント合わせを始めるにあたって大変便利である。なお、本実施形態では、マクロモード、風景モードおよびポートレートモードが設定されている場合に、所定の焦点位置にピント合わせを行うようしていたが、これに限らず、他の撮影モードにおいても所定の焦点位置にレンズを駆動するようにしても良いことは勿論である。
また、レンズ駆動のサブルーチンはスルー画表示モードのフローに入ると最初に行っているが、ここに限らず、例えば、ステップ＃６９のスルー画表示の開始前までに行っても構わない。さらに、変形例として、１Ｒまたは他の操作釦が操作された際に実行するようにしても構わない。
【００３９】
次に、前述の撮影動作Ａ  Ｍ１３０と撮影動作Ｂ  Ｍ３３０について、図７に示すフローチャートを用いて、その詳細を説明する。
撮影動作Ａに入ると、まず、測光センサ２１１の出力に基づいて被写体輝度の測定を行う（＃２２１）。ここで得た被写体輝度に基づいてシャッタ速度及び／又は絞り値を演算により求める（＃２２３）。なお、ここで、求めるシャッタ速度及び／または絞り値は、設定された撮影モードにしたがったＰ線図に基づいて行う。この後、測距回路２１７の出力に基づいて撮影レンズ１０１、１０２のピントズレ量を演算で求め、このズレ量に基づいて、レンズＣＰＵ１１１を介してレンズ駆動回路１０７を駆動しピント合わせを行う（＃２２５）。
【００４０】
次に、レリーズ釦２１の全押しによってオンとなる第２レリーズスイッチがオンか否かかの判定を行い（＃２３１）、オンではない場合には、レリーズ釦２１の半押しによってオンとなる第１レリーズスイッチがオンか否かかの判定を行う（＃２２９）。判定の結果、オンであった場合には、レリーズ釦は半押し状態ではあるが、全押し状態とはなっていないので、ステップ＃２２９と＃２３１を繰り返し行う待機状態となる。ステップ＃２２９にてレリーズ釦２１から手が離れ、第１レリーズスイッチがオフとなった場合には、ＮＯで抜けて元のルーチンに戻る。
【００４１】
一方、レリーズ釦２１が全押しされると、第２レリーズスイッチがオンとなり、ステップ＃２３１をＹｅｓで抜けて、ステップ＃２３３以下において、実際に撮像を行い画像データの記録を行うための処理、すなわち撮影動作を実行する。まず、可動ミラー２０１のアップ動作を行い（＃２３３）、これによって、撮影レンズ１０１、１０２を透過した被写体光束はＣＣＤ２２１側に導かれる〈但し、この時点ではシャッタ２１３が閉じているので、ＣＣＤ２２１上には結像していない〉。続いて、絞り１０３の絞込み動作を開始し（＃２３５）、ＣＣＤ２２１による撮像を開始する（＃２３７）。この後、シャッタ２１３の先幕が走行を開始し、所定時間経過後に後幕が走行を開始する（＃２３９）。
【００４２】
続いて、ＣＣＤ２２１による撮像を停止し（＃２４１）、ＣＣＤ駆動回路２２３は画像信号の読み出しを行い、画像処理回路２２７による画像処理を実行する（＃２４３）。この画像処理された画像データはバッファメモリとしてのＳＤＲＡＭ２３７に格納される（＃２４５）。この後、絞り１０３を開放状態に復帰させ（＃２４７）、可動ミラー２０１をダウンさせ（＃２４９）、ファインダ光学装置を被写体像観察状態にする。次に、ＳＤＲＡＭ２３７等のバッファメモリに記憶していた画像データを記録媒体（メモリカード）２４５に記録し（＃２５１）、元のルーチンに戻る。
【００４３】
また、スルー画表示モードＭ３００において、レリーズ釦２１が全押しされ、２Ｒがオンとなると、撮影動作Ｂ  Ｍ３３０に入り、前述のステップ＃２３３以下を実行する。各ステップについては、前述している通りであるので説明を繰り返さない。
【００４４】
次に、「スルー画条件の設定１」と「スルー画条件設定２」について図８を用いて説明する。このサブルーチンは前述したように、液晶モニタ２６に被写体画像を表示する際の画像明度の調整を行うためのものである。まず、スルー画条件設定１のサブルーチンに入ると、ステップＳ２０１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３又はＣＣＤ駆動回路２８３は、ここで設定・記憶されたＴＶ１とＳＶ１に基づいてＣＣＤ２２１又は２７９の駆動制御を行い、光電変換信号の読み出しを行う。ステップＳ２０７にてＴＶ１およびＳＶ１の設定が終了すると元のフローに戻る。
【００４５】
次に、「スルー画条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００４６】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０７に進み、元のフローに戻る。
【００４７】
本実施形態では、撮影光路内にて被写体光束をファインダ光学系に導くアップ位置と、撮影光路外に退避したダウン位置とに移動可能な可動ミラー２０１と、この可動ミラー２０１をアップ位置からダウン位置に移動させ、撮像素子としてのＣＣＤ２２１にて取得した被写体像を液晶モニタ２６に連続的に表示するスルー画表示モードＭ３００を有し、このスルー画表示モードＭ３００の動作開始に応答してステップ＃５７において、撮影光学系を所定の焦点位置に移動させているので、スルー画表示モードの動作開始にあたって撮影レンズが所定位置にあることから、自動焦点調節装置が使用できない場合であっても手動でピント合わせを行うにあたって使い易いデジタル一眼レフカメラとなる。
【００４８】
また、本実施形態では、レンズ駆動のサブルーチン（図６参照）において撮影モードに応じて所定の焦点位置を決定するようにしており、撮影モードに応じて常用されるような焦点位置に撮影レンズが駆動されるので、狙いとする被写体にピントを合わせやすく、シャッタチャンスを逃すことを少なくすることができる。
さらに、本実施形態では、撮影モードがマクロ撮影に適したモードの場合は撮影光学系を近距離側の所定位置に移動させており（図６ステップ＃１２１参照）、撮影モードが風景撮影に適したモードの場合は撮影光学系を遠距離側の所定位置に移動させており（図６のステップ＃１２３参照）、また撮影モードがポートレート撮影に適したモードの場合は上記撮影光学系を中間距離位置に移動させている（図６のステップ＃１２５参照）ことから、それぞれの撮影モードに相応しい距離に駆動することができ、狙いとする被写体にピントを合わせやすく、シャッタチャンスを逃すことを少なくすることができる。
さらに、本実施形態では、撮影レンズの過焦点距離に基づいて設定された位置に駆動しており（図６のステップ＃１１９、１２０参照）、被写体のピントが合っている可能性の高い焦点位置に撮影レンズを駆動するので、狙いとする被写体にピントを合わせやすく、シャッタチャンスを逃すことを少なくすることができる。特に本実施形態では、判定対象とならなかった撮影モードが設定されていた場合に、過焦点距離に焦点調節するようにしたので、これらの撮影モードの場合であっても、狙いとする被写体にピントを合わせ易くすることができる。
【００４９】
なお、本実施形態においては、デジタルカメラとして一眼レフタイプに適用した例を説明したが、本発明はデジタル一眼レフカメラに限らず、例えば、コンパクトタイプ等のデジタルカメラにも適用でき、さらには、携帯電話に設けられたデジタルカメラにも適用できることは勿論である。いずれにしても撮像素子の出力を用いて被写体像を観察用としてモニタに表示するデジタルカメラ、電子撮像装置であればよい。
【図面の簡単な説明】
【００５０】
【図１】本発明の一実施形態におけるデジタル一眼レフカメラを背面から見た外観斜視図である。
【図２】本発明を適用した一実施形態におけるデジタル一眼レフカメラのモードダイヤルの平面図である。
【図３】本発明を適用した一実施形態におけるデジタル一眼レフカメラの主として電気系の全体構成を示すブロック図である。
【図４】本発明の一実施形態における表示モードと動作モードを示すブロック図である。
【図５】本発明の一実施形態におけるスルー画表示モードの動作を示すフローチャートである。
【図６】本発明の一実施形態におけるレンズ駆動の動作を示すフローチャートである。
【図７】本発明の一実施形態における撮影動作Ａおよび撮影動作Ｂの動作を示すフローチャートである。
【図８】本発明の一実施形態におけるスルー画条件の設定１とスルー画条件の設定２のフローチャートである。
【図９】本発明の一実施形態における液晶モニタにおける表示形態を示し、（Ａ）は情報表示モードにおける表示、（Ｂ）はスルー画表示モードにおける画面を示す図である。
【符号の説明】
【００５１】
１１  手動操作環
２１  レリーズ釦
２２  モードダイヤル
２４  コントロールダイヤル
２６  液晶モニタ
２７  再生釦
２８  メニュー釦
３０  十字釦
３１  ＯＫ釦
３４  表示モード切換釦
４０  記録媒体収納蓋
１００  交換レンズ
１０１  １０２  レンズ
１０３  絞り
１０７  レンズ駆動回路
１１２  ＰＦ操作部
２０１  可動ミラー
２１１  測光センサ
２１３  シャッタ
２１７  測距回路
２１９  ミラー駆動機構
２２１  ＣＣＤ
２２７  画像処理回路
２２９  シーケンスコントローラ(ボディＣＰＵ)
【図１】
2007279465.tif 000003
【図２】
2007279465.tif 000004
【図３】
2007279465.tif 000005
【図４】
2007279465.tif 000006
【図５】
2007279465.tif 000007
【図６】
2007279465.tif 000008
【図７】
2007279465.tif 000009
【図８】
2007279465.tif 000010
【図９】
2007279465.tif 000011